(57)【要約】ラウドスピーカシステムで第１及び第２のラウドスピーカを夫々駆動するよう低域通過フィルタ及び高域通過フィルタを有する一次クロスオーバーネットワークは、第１及び第２のラウドスピーカの出力信号の間のクロスオーバー周波数での位相差が６０度よりも大きくないように設計される。従って、出力信号は少なくとも部分的に同相である。望ましくは、位相差は、同相に近い効果を作るよう約４０度であるべきである。第１のラウドスピーカが一次クロスオーバーネットワークへ結合される極性は、第２のラウドスピーカがクロスオーバーネットワークへ結合される極性の逆である。随意的に、入力信号は、クロスオーバーネットワークの振幅応答を平らにするよう均一にされうる。
2007520156.tif 000002
【特許請求の範囲】
【請求項１】
固有のインピーダンスを有し、正及び負の端子を夫々有する第１及び第２のラウドスピーカを有するラウドスピーカシステムにおいてクロスオーバー周波数で高周波帯域及び低周波帯域に入力音声信号を分離するための一次クロスオーバーネットワークであって、
前記第１のラウドスピーカに低周波帯域信号を供給する低域通過フィルタを形成するよう前記第１のラウドスピーカへ結合された第１の構成要素と、
前記第２のラウドスピーカに高周波帯域信号を供給する高域通過フィルタを形成するよう前記第２のラウドスピーカへ結合された第２の構成要素とを有し、
前記低域通過フィルタ及び前記高域通過フィルタは、一次フィルタであり、前記第１及び第２の構成要素のインピーダンスは、前記第１及び第２のラウドスピーカの夫々の応答の間のクロスオーバー周波数における位相差が６０度より大きくないように選ばれる、ことを特徴とするクロスオーバーネットワーク。
【請求項２】
前記応答は、音響応答であることを特徴とする請求項１記載のクロスオーバーネットワーク。
【請求項３】
前記応答は、電気的応答であることを特徴とする請求項１記載のクロスオーバーネットワーク。
【請求項４】
前記第１の構成要素は、第１の極性で前記第１のラウドスピーカへ直列に結合され、
前記第２の構成要素は、第２の極性で前記第２のラウドスピーカへ直列に結合され、
前記第２の極性は、前記第１の極性の反対であることを特徴とする請求項１記載のクロスオーバーネットワーク。
【請求項５】
前記第１の構成要素は、インダクタであり、
前記第２の構成要素は、キャパシタであり、
前記インダクタ及び前記キャパシタのインピーダンスは、夫々のフィルタの位相シフトが６０度より小さくないように選択されることを特徴とする請求項４記載のクロスオーバーネットワーク。
【請求項６】
前記入力音声信号は、前記第１及び第２のラウドスピーカの結合応答を平らにするよう均一にされることを特徴とする請求項５記載のクロスオーバーネットワーク。
【請求項７】
前記クロスオーバー周波数での結合応答は、高くされることを特徴とする請求項６記載のクロスオーバーネットワーク。
【請求項８】
前記クロスオーバー周波数での結合応答は、約４．５デシベルだけ高くされることを特徴とする請求項７記載のクロスオーバーネットワーク。
【請求項９】
前記第１及び第２のラウドスピーカの結合応答は、−６デシベルよりも大きくないことを特徴とする請求項１記載のクロスオーバーネットワーク。
【請求項１０】
前記結合応答は、−１０デシベルよりも小さくないことを特徴とする請求項９記載のクロスオーバーネットワーク。
【請求項１１】
前記位相差は、約４０度であることを特徴とする請求項１記載のクロスオーバーネットワーク。
【請求項１２】
固有のインピーダンスを有し、正及び負の端子を夫々有する第１及び第２のラウドスピーカと、
クロスオーバー周波数で高周波帯域及び低周波帯域に入力音声信号を分離するための一次クロスオーバーネットワークであって、前記第１及び第２のラウドスピーカの夫々に低周波帯域信号及び高周波帯域信号を供給する低域通過フィルタ及び高域通過フィルタの夫々を形成するよう前記第１及び第２のラウドスピーカへ夫々結合された第１及び第２の構成要素を有するクロスオーバーネットワークとを有し、
前記低域通過フィルタ及び前記高域通過フィルタは、一次フィルタであり、前記第１及び第２の構成要素のインピーダンスは、前記第１及び第２のラウドスピーカの夫々の応答の間の位相差がクロスオーバー周波数において６０度より大きくないように選ばれる、ことを特徴とするラウドスピーカシステム。
【請求項１３】
前記応答は、音響であることを特徴とする請求項１２記載のラウドスピーカシステム。
【請求項１４】
前記応答は、電気的であることを特徴とする請求項１３記載のラウドスピーカシステム。
【請求項１５】
前記第１の構成要素は、第１の極性で前記第１のラウドスピーカへ直列に結合され、
前記第２の構成要素は、第２の極性で前記第２のラウドスピーカへ直列に結合され、
前記第２の極性は、前記第１の極性の反対であることを特徴とする請求項１４記載のラウドスピーカシステム。
【請求項１６】
前記第１の構成要素は、インダクタであり、
前記第２の構成要素は、キャパシタであり、
前記インダクタ及び前記キャパシタのインピーダンスは、夫々のフィルタの位相シフトが６０度より小さくないように選択されることを特徴とする請求項１５記載のラウドスピーカシステム。
【請求項１７】
前記第１及び第２のラウドスピーカの結合応答を平らにするよう前記入力音声信号を均一にするためのイコライザを更に有する請求項１６記載のラウドスピーカシステム。
【請求項１８】
前記クロスオーバー周波数での結合応答は、高くされることを特徴とする請求項１７記載のラウドスピーカシステム。
【請求項１９】
前記クロスオーバー周波数での結合応答は、約４．５デシベルだけ高くされることを特徴とする請求項１８記載のラウドスピーカシステム。
【請求項２０】
前記第１及び第２のラウドスピーカの結合応答は、−６デシベルよりも大きくないことを特徴とする請求項１４記載のラウドスピーカシステム。
【請求項２１】
前記結合応答は、−１０デシベルよりも小さくないことを特徴とする請求項２０記載のラウドスピーカシステム。
【請求項２２】
第１及び第２のラウドスピーカを有するラウドスピーカシステムから出力信号を発生させる方法であって、
低域通過フィルタ及び高域通過フィルタを有する一次クロスオーバーネットワークへ音声信号を送るステップと、
第１の極性で前記第１のラウドスピーカへ前記低域通過フィルタを結合し、前記第１の極性と反対である第２の極性で前記第２のラウドスピーカへ前記高域通過フィルタを結合するステップと、
夫々のフィルタがクロスオーバー周波数で−６デシベルよりも大きくない周波数応答を有し、且つ、前記低域通過フィルタ及び前記高域通過フィルタの出力信号のクロスオーバー周波数での位相差が６０度よりも大きくないように、前記第１及び第２のフィルタのインピーダンスを選択するステップとを有する方法。
【請求項２３】
前記ラウドスピーカシステムの応答を均一にするよう入力信号を均一にするステップを更に有する請求項２２記載の方法。
【請求項２４】
前記位相差は、約４０度であることを特徴とする請求項２３記載の方法。
【請求項２５】
前記第１のラウドスピーカのインピーダンスは、前記第２のラウドスピーカのインピーダンスと同じであることを特徴とする請求項２３記載の方法。
【請求項２６】
前記第１及び第２のラウドスピーカのインピーダンスは、異なることを特徴とする請求項２３記載の方法。
【発明の詳細な説明】
【技術分野】
【０００１】
本発明は、ラウドスピーカクロスオーバーネットワーク、更に具体的には、二次ラウドスピーカクロスオーバーネットワークの幾つかの利点を有する一次ラウドスピーカクロスオーバーネットワークに関する。
【背景技術】
【０００２】
クロスオーバーネットワークは、マルチウェイ・ラウドスピーカシステムにおいて、入力音声信号を複数の周波数帯域に分離するために使用される。夫々の帯域は、関連する周波数帯域に最も適した異なるラウドスピーカに入力される。他の帯域から１つの帯域を分離する周波数は、これらの２つの帯域のクロスオーバー周波数と呼ばれる。例えば、以下で論じられる２方向ラウドスピーカシステムにおいて、低周波帯域及び高周波帯域は、ウーファー及びツィーターへ夫々誘導され、クロスオーバー周波数は、低周波帯域及び高周波帯域が分かれるところの周波数である。
【０００３】
例えば一次バターワースネットワークのような一次クロスオーバーネットワークにおいて、キャパシタは、高周波帯域信号をツィーターへ供給するための高域通過フィルタを形成するよう、本質的に抵抗であるツィーターに直列に結合されている。インダクタは、低周波帯域信号をウーファーへ供給するための低域通過フィルタを形成するよう、やはり本質的に抵抗であるウーファーに直列に結合されている。クロスオーバー周波数では、低域通過フィルタ及び高域通過フィルタの両フィルタの振幅特性は、約−３ｄＢ（デシベル）である。２つのネットワーク間の位相差は、このクロスオーバー周波数で９０度であるから、このクロスオーバーネットワークの結合電圧応答は、クロスオーバー周波数で０ｄＢであり、建設的又は相殺的な干渉がクロスオーバー周波数で起こる。
【０００４】
前出のクロスオーバーネットワークは満足に機能するが、クロスオーバー周波数での低域通過フィルタ及び高域通過フィルタは同相ではない。そのようなものとして、このような一次ネットワークは、同相クロスオーバーネットワークの以下の利点、即ち、増大した阻止帯域除去及び改善した極動作（極大）によるより滑らかな周波数応答を提供することができない。
【発明の開示】
【発明が解決しようとする課題】
【０００５】
同相応答を有するよう、例えばリンクウィッツ・ライリ・ネットワークのような二次又はそれよりも高次のクロスオーバーネットワークが使用されるべきである。しかし、二次又はそれよりも高次のネットワークは、更なるキャパシタ及びインダクタを必要とする。例えば、２方向リンクウィッツ・ライリ・クロスオーバーネットワークは、低域通過フィルタを形成するようウーファーに並列に結合された更なるキャパシタと、高域通過フィルタを形成するようツィーターに並列に結合された更なるインダクタとを必要とする。これらの更なる構成要素は、クロスオーバーネットワークで使用されるキャパシタ及びインダクタが通常それらの大きさ、容量、及び所要電力により値段が高くなるので、ラウドスピーカシステムのコストを著しく増大させる。
【課題を解決するための手段】
【０００６】
本発明の原理に従って、ラウドスピーカシステムにおいて第１及び第２のラウドスピーカを夫々駆動するよう低域通過フィルタ及び高域通過フィルタを有する一次クロスオーバーネットワークは、第１及び第２のラウドスピーカの応答の間のクロスオーバー周波数での位相差が６０度よりも大きくないように設計される。従って、出力信号は、少なくとも部分的に同相である。応答は、電気又は音響であっても良い。
【０００７】
一実施例では、低域通過フィルタは、第１の極性で第１のラウドスピーカへ直列に結合されたインダクタによって形成され、高域通過フィルタは、第２の極性で第２のラウドスピーカへ結合されたキャパシタによって形成される。インダクタ及びキャパシタのインピーダンスは、位相差が６０度よりも大きくないように選択される。望ましくは、位相差は、同相に近い効果を作るよう約４０度であるべきである。
【０００８】
更なる他の実施例では、第２の極性は、１８０度の位相シフトを高域通過フィルタに加えるために、第１の極性の反対である。
【０００９】
更なる他の実施例では、入力音声信号は、クロスオーバーシステムの応答を平らにするよう均一にされる。具体的には、クロスオーバー周波数でのレベルは、入力信号において高くされる。
【発明を実施するための最良の形態】
【００１０】
図１は、本発明の原理に従う一次クロスオーバーネットワーク１０５を用いる２方向ラウドスピーカシステム１００を表す。２方向ラウドスピーカシステム１００は、図１において抵抗により表されているツィーター１１０と、図１においてやはり抵抗により表されているウーファー１５０とを有する。ツィーター１１０及びウーファー１５０の夫々は、（図１において「＋」と示されている）正の端子と、（図１において「＋」と符号を付された端子の反対にある）負の端子とを有する。クロスオーバーネットワーク１０５への入力音声信号は、増幅器１７０により増幅される。クロスオーバーネットワーク１０５は、高周波帯域入力信号をツィーター１１０へ供給するために高域通過フィルタを形成するようツィーター１１０へ直列に結合されたキャパシタ１２０と、低周波帯域入力信号をウーファー１５０へ供給するために低域通過フィルタを形成するようウーファー１５０へ直列に結合されたインダクタ１６０とを有する。インダクタ１６０は、第１の極性でウーファー１５０へ結合され、キャパシタ１２０は、第２の極性でツィーター１１０へ結合されている。なお、第２の極性は、第１の極性の反対である。この例では、インダクタ１６０は、ウーファー１５０の正の端子へ結合されているが、キャパシタ１２０は、ツィーター１１０の負の端子へ結合されている。
【００１１】
本発明の原理に従って、キャパシタ１２０のキャパシタンス及びインダクタ１６０のインダクタンスは、高域通過フィルタの応答と低域通過フィルタの応答との間のクロスオーバー周波数での位相差が６０度よりも大きくないように選択される。（クロスオーバー周波数は、クロスオーバーネットワーク１０５が音声入力信号を高周波帯域及び低周波帯域に分離するところの周波数である。）望ましくは、位相差は約４０度である。発明者は、位相差が６０度よりも大きくない場合に、２つのフィルタの応答が少なくとも部分的に同相であることを認識する。そのようなものとして、ラウドスピーカシステムは、増大した阻止帯域除去及び改善した極動作により、より滑らかな周波数応答を作る。極動作は、２つのラウドスピーカの複合放射パターンのクロスオーバー周波数での音響出力プロットを見ることによって最も良く理解される。より良い極動作は、軸外（ｏｆｆ−ａｘｉｓ）の聴取者のための音声の劣化を低減する。位相差が少なくとも部分的に同相であると、非同時ドライバのための放射パターンは、全ての周波数に関して軸上（ｏｎ−ａｘｉｓ）により近く、少なくとも部分的な建設的干渉を引き起こし、ひいては、極動作を改善する。例えば、位相差が６０度である場合に、２つの応答は、クロスオーバー周波数での建設的干渉の少なくとも５０％を引き起こす。留意すべきは、位相差が１８０度である場合には、２つの応答は、位相が完全に不一致となり、１００％の相殺的干渉を引き起こすことである。１００％の相殺的干渉は、当然のことながら、好ましくない。位相差が、例えば一次バターワースフィルタにより引き起こされる位相差のように、９０度である場合には、２つの応答は、直角位相にあり、建設的又は相殺的いずれの干渉も引き起こさない。位相差が、例えばリンクウィッツ・ライリ・ネットワークにより引き起こされる位相差のように零である場合には、２つの応答は、完全に同相であり、１００％の建設的干渉を引き起こす。本発明の原理に従う一次クロスオーバーネットワーク１０５は、従来の一次クロスオーバーネットワークよりも零度にずっと近い位相差を生ずる。
【００１２】
第１及び第２の例の以下の実例では、ツィーター１１０及びウーファー１５０の内部抵抗は８Ωであり、クロスオーバー周波数は１，０００Ｈｚ（ヘルツ）であるとする。ツィーター１１０及びウーファー１５０のインピーダンスは、全くの抵抗として扱われるので、ツィーター１１０及びウーファー１５０の夫々の音響応答は、電気的応答の場合と同じである。ラウドスピーカの音響応答は、ラウドスピーカの音響出力に関する応答であり、電気的応答は、ラウドスピーカの２つの端子の両端に現れた電圧に関する応答である。現状では、ラウドスピーカは、完全にではなく、実質的に抵抗である。従って、ラウドスピーカの電気的応答は、音響応答と実質的に同じである。
【００１３】
第１の例では、クロスオーバーネットワーク１０５は、クロスオーバー周波数において約６０度の位相差を生ずる。このような位相差を生ずる一例は、キャパシタ１２０に１．５μＦ（マイクロファラッド）、インダクタ１６０に２．２ｍＨ（ミリヘンリ）を選択することである。このような値の組により、低域通過フィルタは、約６０度の正の位相シフトを生じ、高域通過フィルタは、約６０度の負の位相シフトを生ずる。しかし、低域通過フィルタは、ウーファー１５０の正の端子へ接続されているが、高域通過フィルタは、ツィーター１１０の負の端子へ接続されている。即ち、ツィーター１１０の極は、ウーファー１５０に対して逆であり、ツィーター１１０は、ウーファー１５０に対して反転しており、ツィーター１１０は、実際には、１８０度の正の位相差を高域通過フィルタに加える。極性を反転させることにより高域通過フィルタに１８０度が加えられるのは、入来する信号が本質的に反転しているからである。例えば、正の入力は、反転方向でツィーター１１０のコーンを動かすよう負になりうる。従って、高域通過フィルタの結果として得られる位相シフトは、実際には、約１２０度の正の位相シフトである。従って、低域通過フィルタの応答と高域通過フィルタの応答との間の位相差は、約６０度である。
【００１４】
第２の例では、クロスオーバーネットワーク１０５は、約４０度の位相差を生ずる。このような位相差を生ずる一例は、キャパシタ１２０に６．７μＦ、インダクタ１６０に３．８ｍＨを選択することである。このような値の組により、低域通過フィルタは、約７１度の正の位相シフトを生じ、高域通過フィルタは、約７１度の負の位相シフトを生ずる。しかし、ツィーター１１０は、逆極性のために、１８０度の正の位相シフトを高域通過フィルタに加える。従って、高域通過フィルタの結果として得られる位相シフトは、実際には、１０９度の正の位相シフトである。従って、低域通過フィルタの応答と高域通過フィルタの応答との間の位相差は、約３８度である。
【００１５】
図２、３及び４は、第１の例におけるクロスオーバーネットワーク１０５の振幅及び位相応答を示す。図２は、低域通過フィルタの応答を示し、図３は、高域通過フィルタの応答を示し、図４は、結合応答を示す。図２及び３に示されている通過帯域は、９０度の位相差を有する従来の一次クロスオーバーネットワークよりも狭い。高域通過フィルタ及び低域通過フィルタの夫々は、クロスオーバー周波数において約−６ｄＢの振幅応答を有し、結合振幅は約−１ｄＢである。
【００１６】
図５、６及び７は、第２の例におけるクロスオーバーネットワーク１０５の低域通過フィルタ、高域通過フィルタ、及び結合応答の振幅及び位相応答を夫々示す。図５及び６から明らかであるように、通過帯域は、第１の例の通過帯域よりも狭い。高域通過フィルタ及び低域通過フィルタの夫々は、クロスオーバー周波数において約−１０ｄＢの振幅応答を有し、結合振幅は約−４．５ｄＢである。
【００１７】
少なくとも部分的に同相の一次ネットワーク１０５を達成するために、高域通過フィルタ及び低域通過フィルタの個々の応答は、約−６ｄＢ又はそれより小さくあるべきである。例えば、第１及び第２の例におけるクロスオーバーネットワーク１０５の個々の応答は、夫々、約−６ｄＢ及び−１０ｄＢである。図４及び７に示される中域の落ち込みは、入力信号がクロスオーバーネットワーク１０５に入力する前に、必要ならば、入力信号を均一にするようイコライザ（図示せず。）を用いることにより、改善可能である。望ましくは、入力信号は、それらが増幅器１７０によって増幅されるまでに均一にされる。
【００１８】
例えば、図８に示される応答を有するイコライザが、入力信号が第２の例におけるクロスオーバーネットワーク１０５に入力する前に入力信号を均一にするよう使用される場合に、結合応答は、図９に示されるようにほぼ平らになる。
【００１９】
１，０００Ｈｚのクロスオーバー周波数を有すると説明してきたが、例えば１，７００Ｈｚといった他のクロスオーバー周波数が使用されても良い。更に、ツィーター１１０及びウーファー１５０の内部抵抗は８Ωとして説明してきたが、例えば６Ωといった他の抵抗が使用されても良く、ツィーター１１０の内部抵抗は、ウーファー１５０の内部抵抗とは異なっても良い。更に、低域通過フィルタ及び高域通過フィルタは異なる方向で同じ量の位相シフトを生ずると説明してきたが、２つの位相シフトの絶対量は、互いに異なっても良い。最後に、２方向ラウドスピーカシステムで使用されると説明してきたが、本発明の原理は、３方向又は他のマルチウェイ・ラウドスピーカシステムに適用可能である。例えば、本発明の原理は、３方向ラウドスピーカシステムにおいて、低域通過フィルタ及び帯域通過フィルタの設計並びに帯域通過フィルタ及び高域通過フィルタの設計に適用可能である。
【００２０】
図１０は、６０度よりも大きくないクロスオーバー周波数での位相差を有する一次クロスオーバーネットワークを有するラウドスピーカシステムから出力信号を発生させるための、本発明の原理に従う方法を表す。ステップ１０１０において、音声信号は、ウーファー及びツィーターへ夫々結合された低域通過フィルタ及び高域通過フィルタを有する一次受動クロスオーバーネットワークへ送られる。ステップ１０２０において、ウーファーに対するツィーターの極性は反転される。ステップ１０３０において、低域通過フィルタ及び高域通過フィルタのインピーダンスは、２つのフィルタの個々の応答がクロスオーバー周波数において−６ｄＢ又はそれよりも低く、望ましくは−６ｄＢから−１０ｄＢの間にあり、且つ、低域通過フィルタ及び高域通過フィルタからの夫々の出力信号の間のクロスオーバー周波数での位相差が６０度よりも大きくないように、選択される。これは、６０度又はそれよりも高い低域通過位相シフトと、−６０度又はそれよりも低い高域通過位相シフトとを引き起こしうる。反転極性により、ツィーターは、＋１８０度の位相シフトを高域通過フィルタに加え、結果として＋１２０度又はそれよりも小さい同等の高域通過シフトをもたらす。従って、低域通過フィルタ及び高域通過フィルタとの間の位相差は、６０度又はそれよりも小さく、あるいは、クロスオーバー周波数において少なくとも部分的に同相である。随意的に、ステップ１０４０において、結合応答が得られ、入力信号は、クロスオーバー周波数付近の領域での落ち込みを補償するよう均一にされる。
【００２１】
本発明は、現在のところ好ましい２，３の実施例に関して記載されてきたが、当業者には、多数の代替モード及び実施例が、本発明の主旨を損なわない範囲で実行されうることが明らかである。
【図面の簡単な説明】
【００２２】
【図１】本発明の原理に従うクロスオーバーネットワークを組み込む、実例となる２方向ラウドスピーカシステムである。
【図２Ａ】ウーファーの抵抗が８Ωであり、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムにおけるウーファーの振幅応答を表す。
【図２Ｂ】ウーファーの抵抗が８Ωであり、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムにおけるウーファーの位相応答を表す。
【図３Ａ】ツィーターの抵抗が８Ωであり、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムにおけるツィーターの振幅応答を表す。
【図３Ｂ】ツィーターの抵抗が８Ωであり、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムにおけるツィーターの位相応答を表す。
【図４Ａ】ウーファー及びツィーターが両方とも８Ωの抵抗を有し、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムの振幅結合応答を表す。
【図４Ｂ】ウーファー及びツィーターが両方とも８Ωの抵抗を有し、高域通過フィルタにおけるキャパシタが１１．５μＦのキャパシタンスを有し、低域通過フィルタにおけるインダクタが２．２ｍＨのインダクタンスを有する場合に、図１に示されたようなラウドスピーカシステムの位相結合応答を表す。
【図５Ａ】ウーファーの抵抗が８Ωであり、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムにおけるウーファーの振幅応答を表す。
【図５Ｂ】ウーファーの抵抗が８Ωであり、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムにおけるウーファーの位相応答を表す。
【図６Ａ】ツィーターの抵抗が８Ωであり、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムにおけるツィーターの振幅応答を表す。
【図６Ｂ】ツィーターの抵抗が８Ωであり、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムにおけるツィーターの位相応答を表す。
【図７Ａ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムの振幅結合応答を表す。
【図７Ｂ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムの位相結合応答を表す。
【図８Ａ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムで使用されるイコライザの振幅応答を表す。
【図８Ｂ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有する場合に、図１に示されたようなラウドスピーカシステムで使用されるイコライザの位相応答を表す。
【図９Ａ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有し、且つ、イコライザが入力音声信号を均一にするために使用される場合に、図１に示されたようなラウドスピーカシステムの振幅結合応答を表す。
【図９Ｂ】ウーファー及びツィーターが両方とも８Ωの抵抗を有し、高域通過フィルタにおけるキャパシタが６．７μＦのキャパシタンスを有し、低域通過フィルタにおけるインダクタが３．８ｍＨのインダクタンスを有し、且つ、イコライザが入力音声信号を均一にするために使用される場合に、図１に示されたようなラウドスピーカシステムの位相結合応答を表す。
【図１０】６０度よりも大きくないクロスオーバー周波数での位相差を有する一次クロスオーバーネットワークを有するラウドスピーカシステムから出力信号を発生させるための、本発明の原理に従う方法を表す。
【図１】
2007520156.tif 000003
【図２Ａ】
2007520156.tif 000004
【図２Ｂ】
2007520156.tif 000005
【図３Ａ】
2007520156.tif 000006
【図３Ｂ】
2007520156.tif 000007
【図４Ａ】
2007520156.tif 000008
【図４Ｂ】
2007520156.tif 000009
【図５Ａ】
2007520156.tif 000010
【図５Ｂ】
2007520156.tif 000011
【図６Ａ】
2007520156.tif 000012
【図６Ｂ】
2007520156.tif 000013
【図７Ａ】
2007520156.tif 000014
【図７Ｂ】
2007520156.tif 000015
【図８Ａ】
2007520156.tif 000016
【図８Ｂ】
2007520156.tif 000017
【図９Ａ】
2007520156.tif 000018
【図９Ｂ】
2007520156.tif 000019
【図１０】
2007520156.tif 000020
【国際調査報告】
2007520156.tif 000021
2007520156.tif 000022
2007520156.tif 000023